(57)【要約】【課題】スイッチ押圧部とスイッチの中心がずれていても、スイッチ操作時にそれぞれの中心が一致するように矯正した後にスイッチを押圧し、正常な釦フィーリングを確実に得ることができる押釦スイッチを提供する。【解決手段】スイッチ押部を有する釦とスイッチ押部の軸線上に一対の上部電極接点と下部電極接点とを有するスイッチが配設された押釦スイッチにおいて、上部電極接点側には、上部電極接点を押圧するドーム状のダイヤフラムが設けられ、ダイヤフラムの頂点部にはスイッチ押部を上部電極接点の中心部へガイドする凹部が形成されており、釦は、スイッチ押部の中心を通る中心線と凹部の中心を通る中心線とがずれた状態で釦操作が行われた場合には、スイッチ押部の中心が凹部の中心へと位置移動するように構成されていることを特徴とする。【選択図】図１
2004185893.tif 000002
【特許請求の範囲】
【請求項１】
スイッチ押部を有する釦と該スイッチ押部の軸線上に一対の上部電極接点と下部電極接点とを有するスイッチが配設された押釦スイッチにおいて、
前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、
前記釦は、前記スイッチ押部の中心を通る中心線と前記凹部の中心を通る中心線とがずれた状態で釦操作が行われた場合には、該スイッチ押部の中心が該凹部の中心へと位置移動するように構成されていることを特徴とする押釦スイッチ。
【請求項２】
前記釦は、本体部とスイッチ押部とにより構成され、該スイッチ押部は該本体部に対し水平方向へ移動可能に保持されていることを特徴とする請求項１に記載の押釦スイッチ。
【請求項３】
スイッチ押部を有する釦と該スイッチ押部の軸線上に一対の上部電極接点と下部電極接点とを有するスイッチが配設された押釦スイッチにおいて、
前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、
前記ダイヤフラムは、前記スイッチ押部の中心を通る中心線と前記凹部の中心を通る中心線とがずれた状態で釦操作が行われた場合には、該凹部の中心が該スイッチ押部の中心へと位置移動するように構成されていることを特徴とする押釦スイッチ。
【請求項４】
スイッチ押部を有する釦と該スイッチ押部の軸線上に一対の上部電極接点と下部電極接点とを有するスイッチが配設された押釦スイッチにおいて、
前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、
前記釦とスイッチとは、前記スイッチ押部の中心を通る中心線と前記凹部の中心を通る中心線とがずれた状態で釦操作が行われた場合には、該スイッチ押部と該凹部とがそれぞれの中心へと位置移動するように構成されていることを特徴とする押釦スイッチ。
【発明の詳細な説明】
【０００１】
【発明の属する技術分野】
本発明は、電子機器などに用いられる押釦スイッチに係り、詳細にはスイッチ押圧部とスイッチの中心がずれていても、スイッチ操作時に正常な釦フィーリング即ち正常なクリック感を確実に得ることができる押釦スイッチに関する。
【０００２】
【従来の技術】
従来の押釦スイッチを図４を用いて説明する。
【０００３】
図４は従来の押釦スイッチを示す正面断面図である。
【０００４】
８０は押釦スイッチで、釦８５、前面パネル９０およびシートスイッチ９３などにより構成されている。
【０００５】
釦８５はハット型形状をしており、操作時の指押部となる本体部８６（キートップ）と、本体部８６の天面８７の裏面中心から図示下方向へ垂直に突出してシートスイッチ９３のダイヤフラム９４を押圧し、シートスイッチ９３を動作させるアクチュエータ部８８とが形成されている。また、本体部８６の下端部には外側水平方向へ延在するフランジ部８９が形成されている。
【０００６】
前面パネル９０には、釦８５の本体部８６が挿通する釦挿通孔９１が形成されている。
【０００７】
シートスイッチ９３には、上下一対の上部電極接点と下部電極接点（図示省略）とが配設されシートからなり、上部電極接点側には上部電極接点を覆うようにドーム状のダイヤフラム９４が配設されている。上下両電極接点の中心とダイヤフラム９４の中心とは略同一中心線上に構成されている。尚、シートスイッチ９３は補強板９５（基板）などに固定（接着）した状態で用いられる。
【０００８】
次に、押釦スイッチの動作を説明する。
【０００９】
例えば、アクチュエータ部８８の先端部の中心を通る中心線ｇと、ダイヤフラム９４の中心を通る中心線ｈとがｔ寸法ズレた状態で、アクチュエータ部８８（釦８５）が下降し、アクチュエータ部８８の先端部がダイヤフラム９４の傾斜部に当接すると、ダイヤフラム９４には垂直方向に加わる力とその分力が水平方向に作用するので、ダイヤフラム９４が斜め押し状態となり変形する。
【００１０】
この出願の発明に関する先行技術文献情報としては次のものがある。
【００１１】
【特許文献１】
特開平６−１５０７７３号公報（第１−４頁、第４図）
【００１２】
【発明が解決しようとする課題】
しかし、上述の押釦スイッチ８０によれば、釦８５のアクチュエータ部８８（スイッチ押部）の先端部の中心線ｇと、シートスイッチ９３（ダイヤフラム９４）の中心線ｈとが、構成部品の累積寸法誤差や組立誤差などにより中心ズレｔが発生する場合がある。このような中心ズレｔが発生すると、スイッチ操作時にダイヤフラム９４が斜め押し状態となり変形し、釦フィーリング即ちクリック感が悪くなり誤操作につながる要因となる。
【００１３】
尚、上述の先行技術文献情報（特許文献１）に開示された内容と、本発明の主な相違点は、操作側のスイッチ押部とスイッチ側の被押部との中心点がズレた場合でも、スイッチ押部側と被押部側のいずれかの一方またはその両方に水平方向に移動可能な位置調整機能を設け、中心点のズレを矯正した後にスイッチを押圧し、正常な釦フィーリング即ち正常なクリック感が確実に得られるようにしたことである。
【００１４】
本発明は上述の問題を解決するもので、スイッチ押圧部とスイッチの中心がずれていても、スイッチ操作時にそれぞれの中心が一致するように矯正した後にスイッチを押圧し、正常な釦フィーリング即ち正常なクリック感を確実に得ることができる押釦スイッチを提供することを目的とする。
【００１５】
【課題を解決するための手段】
本発明は上述の目的を達成するもので、スイッチ押部を有する釦と該スイッチ押部の軸線上に一対の上部電極接点と下部電極接点とを有するスイッチが配設された押釦スイッチにおいて、前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、前記釦は、前記スイッチ押部の中心を通る中心線と前記凹部の中心を通る中心線とがずれた状態で釦操作が行われた場合には、該スイッチ押部の中心が該凹部の中心へと位置移動するように構成されていることを特徴とするものである。
【００１６】
また、前記釦は、本体部とスイッチ押部とにより構成され、該スイッチ押部は該本体部に対し水平方向へ移動可能に保持されていることを特徴とするものである。
【００１７】
また、スイッチ押部を有する釦と該スイッチ押部の軸線上に一対の上部電極接点と下部電極接点とを有するスイッチが配設された押釦スイッチにおいて、前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、前記ダイヤフラムは、前記スイッチ押部の中心を通る中心線と前記凹部の中心を通る中心線とがずれた状態で釦操作が行われた場合には、該凹部の中心が該スイッチ押部の中心へと位置移動するように構成されていることを特徴とするものである。
【００１８】
また、スイッチ押部を有する釦と該スイッチ押部の軸線上に一対の上部電極接点と下部電極接点とを有するスイッチが配設された押釦スイッチにおいて、前記上部電極接点側には、該上部電極接点を押圧するドーム状のダイヤフラムが設けられ、該ダイヤフラムの頂点部には前記スイッチ押部を該上部電極接点の中心部へガイドする凹部が形成されており、前記釦とスイッチとは、前記スイッチ押部の中心を通る中心線と前記凹部の中心を通る中心線とがずれた状態で釦操作が行われた場合には、該スイッチ押部と該凹部とがそれぞれの中心へと位置移動するように構成されていることを特徴とするものである。
【００１９】
【発明の実施の形態】
本発明の第１の実施の形態を図１を用いて説明する。
【００２０】
図１は本発明の第１の実施の形態に係る押釦スイッチを示す正面断面図である。
【００２１】
１０は押釦スイッチで、釦２０、前面パネル３０およびシートスイッチ３５などにより構成されている。
【００２２】
釦２０はハット型形状をしており、操作時の指押部となる本体部２１（キートップ）と、本体部２１の天面２２の裏面中心から図示下方向へ垂直に突出し、シートスイッチ３５のダイヤフラム３６の凹部３７を押圧して、シートスイッチ３５を動作させるアクチュエータ部２３とが形成されている。また、本体部２１の下端部には外側水平方向へ延在するフランジ部２４が形成されている。
【００２３】
前面パネル３０には、釦２０の本体部２１の寸法に、アクチュエータ部２３の中心と、ダイヤフラム３６の中心との最大ズレ予測寸法ｓの２倍の寸法を加えた大きさの釦挿通孔３１が形成されている。尚、釦２０は前面パネル３０の釦挿通孔３１に図示下方から釦２０の本体部２１を挿通させて組み立てる。
【００２４】
シートスイッチ３５には、上下一対の上部電極接点と下部電極接点（図示省略）とが配設されており、上部電極接点側には上部電極接点を覆うようにドーム状のダイヤフラム３６が配設されている。ダイヤフラム３６の頂点部にはアクチュエータ部２３の先端部が係合する凹部３７が形成されており、上下両電極接点の中心と凹部３７の中心とは略同一中心線上に構成されている。尚、シートスイッチ３５は補強板３８（基板）などに固定（接着）した状態で用いられる。そして、シートスイッチ３５は、基本的にはアクチュエータ部２３の先端部の中心を通る中心線ａと、ダイヤフラム３６の凹部３７の中心を通る中心線ｂとが中心ズレしないように組立られる。
【００２５】
次に、押釦スイッチの動作を説明する。
【００２６】
例えば、アクチュエータ部２３の先端部の中心を通る中心線ａと、ダイヤフラム３６の凹部３７の中心を通る中心線ｂとがｓ寸法ズレた状態において、釦２０を押すと、アクチュエータ部２３が下降し先端部が、凹部３７の中心線ｂからｓ寸法ズレた傾斜部に当接する。そして、アクチュエータ部２３（釦２０）は、凹部３７の傾斜部に沿って下降する。この際に、アクチュエータ部２３には垂直方向に加わる力と水平方向に作用する分力とを受けるので、下降しながら水平方向へ移動し、アクチュエータ部２３の中心線ａと凹部３７の中心線ｂとが一致する。この状態からアクチュエータ部２３がさらに下降してシートスイッチ３５の中心を押圧して作動させる。
【００２７】
以上説明したように本発明の第１の実施の形態に係る押釦スイッチ１０によれば、釦２０に水平方向へ移動可能な位置調整機能が備わっているので、釦２０のアクチュエータ部２３（スイッチ押圧部）の中心線ａと、ダイヤフラム３６の凹部３７（シートスイッチ３５）の中心線ｂとの中心がｓ寸法ズレていても、スイッチの操作時にアクチュエータ部２３（釦２０）の下降時に、ダイヤフラム３６の凹部３７の傾斜部によってアクチュエータ部２３の位置矯正が行われｓ寸法水平移動する。そして、それぞれの中心が一致した状態でシートスイッチ３５（凹部３７）が押圧されるので、正常な釦フィーリング即ち正常なクリック感を確実に得ることができる。したがって、釦２０の誤操作につながる要因を無くすことができる。
【００２８】
次に、本発明の第２の実施の形態を図２を用いて説明する。
【００２９】
図２は本発明の第２の実施の形態に係る押釦スイッチを示す正面断面図である。尚、第２の実施の形態は第１の実施の形態の一部を変更したもので、その他については第１の実施の形態と略同じであるので、同じ構成については同じ符号を付し説明を省略する。
【００３０】
１１は押釦スイッチで、釦４０、アクチュエータ４５、前面パネル４８およびシートスイッチ３５などにより構成されている。
【００３１】
釦４０はハット型形状をしており、操作時の指押部となる本体部４１（キートップ）と、本体部４１の下端部には外側水平方向へ延在するフランジ部４３が形成されており、フランジ部４３には図示下方向へ垂直に突出して複数本の保持棒４４が例えば、９０度間隔で４本立設している。そして、保持棒４４の先端部にはストップリング３３の係合溝が形成されている。
【００３２】
アクチュエータ４５は円板形状をしており、円板の裏面中心から図示下方向へ垂直に突出してシートスイッチ３５のダイヤフラム３６（凹部３７）を押圧し、シートスイッチ３５を動作させるアクチュエータ部４６と、円板の周縁部には釦４０の保持棒４４に挿入する挿入孔４７が釦４０の保持棒４４と同軸芯上に形成されている。尚、挿入孔４７の寸法は保持棒４４の直径に、アクチュエータ部４６の中心線ｃと、ダイヤフラム３６の凹部３７の中心線ｄとの最大ズレ予測寸法ｓの２倍の寸法を加えた寸法に形成されている。
【００３３】
尚、釦４０とアクチュエータ４５とは保持棒４４で連結して用いられる。釦４０とアクチュエータ４５を連結するには、釦４０の図示下方からフランジ部４３に形成された保持棒４４に、アクチュエータ４５に形成された挿入孔４７を挿入した後に、保持棒４４の先端部に形成された溝にストップリング３３を圧入してアクチュエータ４５と釦４０とを連結する。そして、アクチュエータ４５と一体に組み立てられた釦４０は、前面パネル４８の釦挿入孔４９の裏面側から釦４０の本体部４１を挿入する。この状態でアクチュエータ部４６（アクチュエータ４５）に水平方向の応力が加わると、アクチュエータ４５は水平方向へ移動する。
【００３４】
前面パネル４８には、釦４０の本体部４１が挿通する釦挿通孔４９が形成されている。
【００３５】
次に、押釦スイッチの動作を説明する。
【００３６】
例えば、アクチュエータ部４６の先端部の中心を通る中心線ｃと、ダイヤフラム３６の凹部３７の中心を通る中心線ｄとがｓ寸法ズレた状態において、釦４０を押すと、アクチュエータ部４６が下降し先端部が、凹部３７の中心線ｄからｓ寸法ズレた傾斜部に当接する。そして、アクチュエータ部４６は、凹部３７の傾斜部に沿って下降する。この際に、アクチュエータ部４６には垂直方向に加わる力と水平方向に作用する分力とを受けるので、下降しながら水平方向へ移動し、アクチュエータ部４６の中心線ｃと凹部３７の中心線ｄとが一致する。この状態からアクチュエータ部４６がさらに下降してシートスイッチ３５の中心を押圧して作動させる。
【００３７】
以上説明したように本発明の第２の実施の形態に係る押釦スイッチ１１によれば、釦４０の下方に設けられたアクチュエータ４５に水平方向へ移動可能な位置調整機能が備わっているので、アクチュエータ部４６（スイッチ押圧部）の中心線ｃと、ダイヤフラム３６（スイッチ）の凹部３７の中心線ｄとの中心がｓ寸法ズレていても、スイッチの操作時にアクチュエータ部４６（釦４０）の下降時に、ダイヤフラム３６の凹部３７の傾斜部によってアクチュエータ部４６の位置矯正が行われｓ寸法水平移動する。そして、それぞれの中心が一致した状態でシートスイッチ３５（凹部３７）が押圧されるので、正常な釦フィーリング即ち正常なクリック感を確実に得ることができる。したがって、釦４０の誤操作につながる要因を無くすことができる。
【００３８】
その他に、釦４０とアクチュエータ４５とが別部品となっているので、前面パネル４８の釦挿通孔４９と釦４０との隙間を小さくすることができるので、意匠の面において見栄えがよくなる。
【００３９】
次に、本発明の第３の実施の形態を図３を用いて説明する。
【００４０】
図３は本発明の第３の実施の形態に係る押釦スイッチを示す正面断面図である。尚、第３の実施の形態は第１および第２の実施の形態の一部を変更したもので、その他については第１および第２の実施の形態と略同じであるので、同じ構成については同じ符号を付し説明を省略する。
【００４１】
１２は押釦スイッチで、釦２０、前面パネル４８およびシートスイッチ５０などにより構成されている。
【００４２】
シートスイッチ５０には、上下一対の上部電極接点と下部電極接点（図示省略）とが配設されシートと、上部電極接点側に上部電極接点を覆うようにドーム状のダイヤフラム５１とが配設されている。ダイヤフラム５１の頂点部にはアクチュエータ部２３の先端部が係合する凹部５２が形成されており、上下両電極接点の中心と凹部５２の中心とは略同一中心線上に構成されている。シートスイッチ５０は補強板５３（基板）などに固定した状態で用いられる。尚、補強板５３には相手側の取付部品５５に設けられた保持棒５６に挿入する挿入孔５４が形成されている。挿入孔５４の寸法は保持棒５６の直径に、アクチュエータ部２３の先端部の中心を通る中心線ｅと、ダイヤフラム５１の凹部５２の中心を通る中心線ｆとの最大ズレ予測寸法ｓの２倍の寸法を加えた寸法に形成されている。
【００４３】
取付部品５５には、補強板５３に形成された挿入孔５４に挿入する保持棒５６が立設しており、保持棒５６の先端部にはストップリング５７の係合溝が形成されている
尚、補強板５３に固定されたシートスイッチ５０と取付部品５５とは保持棒５６で連結して用いられる。補強板５３と取付部品５５を連結するには、取付部品５５の保持棒５６に補強板５３の挿入孔５４を挿入した後に、保持棒５６の先端部に形成された溝にストップリング５７を圧入して補強板５３を保持する。
【００４４】
取付部品５５に保持されたシートスイッチ５０は、基本的にはアクチュエータ部２３の先端部の中心を通る中心線ｅと、ダイヤフラム５１の凹部５２の中心を通る中心線ｆとが中心ズレしないように組立られる。
【００４５】
次に、押釦スイッチの動作を説明する。
【００４６】
例えば、アクチュエータ部２３の先端部の中心を通る中心線ｅと、ダイヤフラム５１の凹部５２の中心を通る中心線ｆとがｓ寸法ズレた状態において、釦４０を押すと、アクチュエータ部２３が下降し先端部が、凹部５２の中心線ｆからｓ寸法ずれた斜部に当接する。そして、アクチュエータ部２３は、凹部５２の傾斜部に沿って下降する。この際に、シートスイッチ５０（凹部５２）には垂直方向に加わる力と水平方向に作用する分力とを受けるので、水平方向へ移動しアクチュエータ部２３の中心線ｅと凹部５２の中心線ｆとが一致する。この状態からアクチュエータ部２３がさらに下降してシートスイッチ５０の中心を押圧して作動させる。
【００４７】
以上説明したように本発明の第３の実施の形態に係る押釦スイッチ１２によれば、シートスイッチ５０に水平方向へ移動可能な位置調整機能が備わっているので、アクチュエータ部２３（スイッチ押圧部）の中心線ｅと、ダイヤフラム５１（スイッチ）の凹部５２の中心線ｆとの中心がｓ寸法ズレていても、スイッチの操作時にアクチュエータ部２３（釦２０）の下降時に先端部が、ダイヤフラム５１の凹部５２の傾斜部に当接することによって、シートスイッチ５０の位置矯正が行われｓ寸法水平移動する。そして、それぞれの中心が一致した状態でシートスイッチ５０（凹部５２）が押圧されるので、正常な釦フィーリング即ち正常なクリック感を確実に得ることができる。したがって、釦２０の誤操作につながる要因を無くすことができる。
【００４８】
その他に、シートスイッチ５０に水平方向の位置調整機能が設けられているので、前面パネル４８の釦挿通孔４９と釦２０との隙間を小さくすることができるので、意匠の面において見栄えがよくなる。
【００４９】
尚、本発明の第１および第２の実施の形態では、釦側またはシートスイッチ側のいずれかの一方に水平方向へ移動可能な位置調整機能を持たせたが、これに限らず、釦側とシートスイッチ側の両方に位置調整機能を持たせることもできる。
【００５０】
その他に、プリント配線板に形成された下部電極接点と、下部電極接点と対応する上方に、ゴム部材によりドーム状に形成されたダイヤフラムの天面の裏面側に固定された上部電極接点の一対で構成されるゴムスイッチにおいても、本発明と同じ構造を適用することができる。
【００５１】
【発明の効果】
以上説明したように本発明によれば、スイッチ押圧部とスイッチの中心がずれていても、スイッチ操作時にそれぞれの中心が一致するように矯正した後にスイッチを押圧し、操作時に正常な釦フィーリング即ち正常なクリック感が確実に得られる押釦スイッチを提供することができる。
【図面の簡単な説明】
【図１】本発明の第１の実施の形態に係る押釦スイッチを示す正面断面図である。
【図２】本発明の第２の実施の形態に係る押釦スイッチを示す正面断面図である。
【図３】本発明の第３の実施の形態に係る押釦スイッチを示す正面断面図である。
【図４】従来の押釦スイッチを示す正面断面図である。
【符号の説明】
１０，１１，１２・・押釦スイッチ
２０，４０・・釦
２１，４１・・本体部
２２，４２・・天面
２３，４６・・アクチュエータ部
２４，４３・・フランジ部
４７，５４・・挿入孔
３０，４８・・前面パネル
３１，４９・・釦挿通孔
４４，５６・・保持棒
３３，５７・・ストップリング
３５，５０・・シートスイッチ
３６，５１・・ダイヤフラム
３７，５２・・凹部
３８，５３・・補強板
４５・・アクチュエータ
５５・・取付部品
【図１】
2004185893.tif 000003
【図２】
2004185893.tif 000004
【図３】
2004185893.tif 000005
【図４】
2004185893.tif 000006